(57)【要約】【課題】被検者が動いたり運動している場合においても邪魔にならず十分な動きや運動を行いながら、安定した生体情報の収集を行う。【解決手段】生体の所要箇所に貼着され、生体に接触するセンサ部により取得された生体信号を無線信号として送信する送信部を備える送信装置１００と、送信装置１００から送信される無線信号をスペースダイバーシチ受信方式により受信する受信部と、この受信部により受信された信号を無線回線を介して中継送信する中継送信部と、受信部及び中継送信部を保持し生体に装着するための装着手段を備える中継装置２００と、生体信号を中継装置２００から受信し、生体情報を作成するセンタ装置３００とを具備する。【選択図】図１
2009178381.tif 000002
【特許請求の範囲】
【請求項１】
生体の所要箇所に貼着され、生体に接触するセンサ部により取得された生体信号を無線信号として送信する送信部を備える送信装置と、
前記送信装置から送信される無線信号をスペースダイバーシチ受信方式により受信する受信部と、この受信部により受信された信号を無線回線を介して中継送信する中継送信部と、前記受信部及び前記中継送信部を保持し生体に装着するための装着手段を備える中継装置と、
中継装置から送信される無線回線の信号を受信するセンタ受信部と、生体信号に基づく生体情報を表示するための表示部と、前記センタ受信部により受信された信号に基づき前記表示部に表示する生体情報を作成するデータ処理部とを備えるセンタ装置と
を具備することを特徴とする生体情報収集システム。
【請求項２】
送信装置には、生体に接触する電極及びセンサ部が一体的に具備されていることを特徴とする請求項１に記載の生体情報収集システム。
【請求項３】
中継装置には、
スペースダイバーシチ受信を行う第１及び第２の受信アンテナと、
これら第１及び第２の受信アンテナを生体から離間させて設けるためのスペーサ部材と
が備えられていることを特徴とする請求項１または２に記載の生体情報収集システム。
【請求項４】
送信装置にはアンテナが備えられ、該アンテナは生体から離れた側にループ形状にされて配置されていることを特徴とする請求項１乃至３に記載の生体情報収集システム。
【発明の詳細な説明】
【技術分野】
【０００１】
この発明は、 生体情報の収集に用いるための生体情報収集テレメータシステムに関するものである。
【背景技術】
【０００２】
従来のこの種のテレメータシステムとしては、生体から信号を取り出すための電極を生体に貼着し、電極からリード線を延ばして無線中継器へ生体信号を導き、無線中継器から電波によりセンタ装置へ生体信号を送信するように構成されていた。
【０００３】
しかしながら、上記のテレメータシステムにあっては、電極と無線中継器との間をリード線によって接続するものであるから、動いている状態（例えば、運動状態）の被検者の生体情報を得ようとすると、リード線の長さなどにより電極が外れたり、電極の接触が不安定になったりして、安定した生体情報を収集することが困難であった。また、リード線が生体表面を這うように配置されるため、思い切った運動を行うことができず、不十分な生体情報の収集にとどまらざるを得なかった。
【０００４】
上記の問題点を解決したシステムとして、特許文献１に記載のものが知られている。この特許文献１に記載のシステムにあっては、センサが検出した生体信号について無線ネットワークを介して中継機に送信し、中継機から無線ネットワークを介してセンタ装置へ送信するものである。
【０００５】
しかしながら、上記のシステムは無線ネットワークが必要であり、無線ネットワークが設けられていない屋外などでは生体情報の収集を行うことが出来ない。また、一般的にセンサの厚み（体表面からの厚み）を薄くして小型化軽量化することが望まれるが、このような小型化軽量化を行った場合には、電波が生体に吸収されて上手く生体信号の送信が出来ないという問題がある。
【０００６】
また、中継器においても、センサとの位置関係やアンテナと生体の距離によっては、アンテナの感度が無くなるＮＵＬＬ点が発生することがあり、適切に無線信号を受信できない状態が発生し、生体信号を得るために中継器の位置を変更するなどして被検者に何度も同じ動作・運動などを行ってもらう必要が生じるなど、被検者への負担も多いものであった。
【特許文献１】特開２００７−１４３９５９号公報
【発明の開示】
【発明が解決しようとする課題】
【０００７】
本発明は上記のような従来の生体情報収集システムが有している問題点を解決せんとしてなされたもので、その目的は、生体に接触する電極を介して生体信号をセンサ部により取得する送信装置の小型化軽量化を図り、被検者が動いたり運動している場合においても邪魔にならず十分な動きや運動を行いながら、安定した生体情報の収集を行うことが可能にする生体情報収集システムを提供することである。
【課題を解決するための手段】
【０００８】
本発明に係る生体情報収集システムは、生体の所要箇所に貼着され、生体に接触するセンサ部により取得された生体信号を無線信号として送信する送信部を備える送信装置と、前記送信装置から送信される無線信号をスペースダイバーシチ受信方式により受信する受信部と、この受信部により受信された信号を無線回線を介して中継送信する中継送信部と、前記受信部及び前記中継送信部を保持し生体に装着するための装着手段を備える中継装置と、中継装置から送信される無線回線の信号を受信するセンタ受信部と、生体信号に基づく生体情報を表示するための表示部と、前記センタ受信部により受信された信号に基づき前記表示部に表示する生体情報を作成するデータ処理部とを備えるセンタ装置とを具備することを特徴とする。
【０００９】
本発明に係る生体情報収集システムは、送信装置には、生体に接触する電極及びセンサ部が一体的に具備されていることを特徴とする。
【００１０】
本発明に係る生体情報収集システムでは、中継装置には、スペースダイバーシチ受信を行う第１及び第２の受信アンテナと、これら第１及び第２の受信アンテナを生体から離間させて設けるためのスペーサ部材とが備えられていることを特徴とする。
【００１１】
本発明に係る生体情報収集システムは、送信装置にはアンテナが備えられ、該アンテナは生体から離れた側にループ形状にされて配置されていることを特徴とする。
【発明の効果】
【００１２】
本発明に係る生体情報収集システムでは、生体に接触するセンサ部により取得された生体信号を無線信号として送信装置から送信し、中継装置において無線信号をスペースダイバーシチ受信方式により受信し、受信された信号を無線回線を介して中継送信するので、中継装置において送信装置から送信された信号を受信する確度が高くなり、適切に生体情報の収集を行うことが可能となる。
【００１３】
本発明に係る生体情報収集システムでは、送信装置には、生体に接触する電極及びセンサ部が一体的に具備されているので、電極から得られる生体信号に対するノイズがリード線を介して重畳することがなく、ノイズを低減することができ、安定した生体情報収集を行うことが可能である。
【００１４】
本発明に係る生体情報収集システムでは、スペースダイバーシチ受信を行う第１及び第２の受信アンテナと、これら第１及び第２の受信アンテナを生体から離間させて設けるためのスペーサ部材とが備えられているので無線信号の受信が可能となり、安定した生体情報収集を行うことが可能である。
【００１５】
本発明に係る生体情報収集システムでは、送信装置に備えられたアンテナが、生体から離れた側にループ形状にされて配置されているので、送信電波が生体に吸収され難く、安定した生体情報収集を行うことが可能である。
【発明を実施するための最良の形態】
【００１６】
以下、添付図面を参照して本発明の実施例に係る生体情報収集システムを説明する。各図において、同一の構成要素には同一の符号を付して重複する説明を省略する。図１に、本発明の実施例に係る生体情報収集システムを示す。生体情報収集システムは、送信装置１００と中継装置２００とセンタ装置３００とにより構成される。
【００１７】
図２に示すように、送信装置１００は、生体に接触する電極１０１により生体信号を取り込むセンサ部１０２を備える。送信装置１００が筋電図信号等を検出するものである場合には、電極１０１は筐体に一体に備えられる。
【００１８】
送信装置１００は、更に、アンプ１０３、ＣＰＵ（Central Processing Unit）１０４、ＣＰＬＤ（Complex Programmable Logic Device）１０５、ＦＳＫ（Frequency Sift keying）トランシーバ１０６及びリード線により構成されるアンテナ１０７を備えている。各回路部は、電池を有し充電回路を含む電源部１０８から電源を得ている。上記のアンプ１０３は、センサ部１０２から送出される生体信号を増幅してＣＰＵ１０４へ与える。ＣＰＵ１０４は、与えられた生体信号をＡ／Ｄ変換して取り込み、所定のタイミングでＦＳＫトランシーバ１０６へ送り出す。ＣＰＬＤ１０５は、中継装置２００から送られてくる受信データのプリアンブルパターンからクロックを再生してＣＰＵ１０４へ与え、送信タイミング検出を行わせるものである。ここでは、ＴＤＭＡ（Time Division Multiple Access）が採用されており、予め設定されているタイムスロットにより送信を行う。
【００１９】
ＦＳＫトランシーバ１０６は、ＣＰＵ１０４から送られる生体信号のサンプリングデータをＦＳＫ変調して所定無線周波数（医用無線Ｅ帯）へアップコンバートしてアンテナ１０７から無線送信するものである。また、ＦＳＫトランシーバ１０６は、中継装置２００から送られる無線信号をアンテナ１０７を介して受信し、ダウンコンバートしてＣＰＬＤ１０５へ送っている。ＦＳＫトランシーバ１０６が使用可能な周波数は２周波数であり、設定された１周波数により送信が行われる。
【００２０】
送信装置１００は、図３、図４に示すように四角形に半円形を結合した平面形状の筐体１１０に各回路等が収納された構成を有し、筐体１１０内部には、充電可能な電池１１１が中央部に配置され、使用時に電池１１１よりも生体側となる部分に、センサ部１０２やアンプ１０３及び電源部１０８などを備えるアナログユニット基板１１２が配置されている。更に、電池１１１を挟んでアナログユニット基板１１２とは反対の側に、ＣＰＵ１０４、ＣＰＬＤ１０５、ＦＳＫトランシーバ１０６などを備えるＲＦ−ＣＰＵユニット基板１１３が配置されている。
【００２１】
アナログユニット基板１１２とＲＦ−ＣＰＵユニット基板１１３との間にはこれらを接続する基板接続コネクタ１１４が配置され、更に、筐体１１０の外部に設けられる電極１０１を接続するための外部接続コネクタ１１５が設けられている。筐体１１０のＲＦ−ＣＰＵユニット基板１１３側を開放した平面図である図５に示すように、使用周波数に対し１／４波長の長さを有する２本のアンテナ１０７が、生体から離れた側であるＲＦ−ＣＰＵユニット基板１１３の上側で筐体１１０の縁に沿ってループ形状にされて配置され、２本のアンテナ１０７はホイップアンテナであるが伝送距離を向上させている。２本のアンテナ１０７は適宜な位置において接着剤１１６により固定されている。
【００２２】
送信装置１００としては、筋電図用、心電図用、加速度用（１軸と３軸）、直流（外部信号取り込み）用、角度用、呼吸波用及びＳｐＯ2（動脈血酸素飽和度）用等のセンサ機能を有するタイプがあり、それぞれのタイプに対応して電極１０１とセンサ部１０２とが変更されている。
【００２３】
図３、図４に示す送信装置１００は筋電図用のセンサ機能を有するタイプであり、筐体１１０の裏面１１０Ｒに３個の電極１０１が突出している。使用に際しては、筐体１１０の裏面１１０Ｒと同形状であって３個の電極１０１に対応する穴が形成された両面テープを裏面１１０Ｒに貼着し、生体の所要部をアルコールにて拭き、両面テープにより張り付け固定する。センサ部１０２は、筋電図用の公知の構成を備えている。
【００２４】
心電図用の送信装置１００にあっては、図６に示すような３つの電極端子１２０がそれぞれ個別のリード線１２１に接続され、各リード線１２１がプラグ１２２に接続された電極モジュールを用いる。プラグ１２２を筐体１１０の外部接続コネクタ１１５に結合させて、導電性ゲル層など有する電極（生体電極）１０１に３電極端子１２０を取り付けて、この電極１０１を生体の胸部における所要位置に貼着する。心電図用の送信装置１００にあっては、筐体１１０の裏面１１０Ｒに電極１０１が設けられておらず、図７に示すようにほぼフラットな面を有している。筐体１１０の裏面１１０Ｒと同形状の両面テープを裏面１１０Ｒに貼着し、生体の所要部をアルコールにて拭き、両面テープにより生体に張り付け固定する。センサ部１０２は、心電図用の公知の構成を備えている。
【００２５】
加速度用（１軸と３軸）の送信装置１００にあっては、筐体１１０内部に加速度検出の機構を含む公知のセンサ部１０２を備える。生体に接触する電極は存在しない。この送信装置１００においても、筐体１１０の裏面１１０Ｒに電極１０１が設けられておらず、図７に示すように構成されている。使用に際しては、筐体１１０の裏面１１０Ｒと同形状の両面テープを裏面１１０Ｒに貼着し、生体の所要部をアルコールにて拭き、両面テープにより生体に張り付け固定する。
【００２６】
直流用の送信装置１００にあっては、入力コードにより外部信号を外部接続コネクタ１１５に導くものであり、センサ部１０２を備えておらず、また生体に接触する電極は存在しない。筐体１１０の裏面１１０Ｒは図７に示すようである。使用方法は、加速度用（１軸と３軸）の送信装置１００と同様である。
【００２７】
角度用の送信装置１００にあっては、図８に示すような２つの検出部１３１を有するもので、検出部１３１からリード線１３２を介してプラグ１３３に信号が送出されるセンサが用いられる。プラグ１３３を筐体１１０の外部接続コネクタ１１５に結合させて、２つの検出部１３１を関節を介して上下或いは左右に貼着することにより測定が行われる。この角度用の送信装置１００は、生体に接触する電極を有しない。筐体１１０の裏面１１０Ｒは図７に示すようである。使用に際しては、筐体１１０の裏面１１０Ｒと同形状の両面テープを裏面１１０Ｒに貼着し、生体の所要部をアルコールにて拭き、両面テープにより生体に張り付け固定する。
【００２８】
呼吸波用の送信装置１００にあっては、例えば図９に示すようなサーミスタの検出部１４１が設けられたもので、検出部１４１からリード線１４２を介してプラグ１４３に信号が送出されるセンサが用いられる。センサ部１０２では、サーミスタの検出部１４１により得られる温度変化に対する信号を取り出す。この呼吸波用の送信装置１００は、生体に接触する電極を有しない。筐体１１０の裏面１１０Ｒは図７に示すようである。使用に際しては、サーミスタの検出部１４１を鼻孔の入口部に固定し、必要に応じてリード線１４２を顔面等に固定する。筐体１１０については、その裏面１１０Ｒと同形状の両面テープを裏面１１０Ｒに貼着し、生体の所要部をアルコールにて拭き、両面テープにより生体に張り付け固定する。
【００２９】
ＳｐＯ2用の送信装置１００Ａにあっては、例えば図１０に示すような送信装置１００Ａの外部接続コネクタ１１５に対し、プラグ１５３にリード線１５２を介して接続した受光素子及び発光素子を有する検出部１５１を備えたセンサが接続される。送信装置１００Ａの内部構成は図２に示す通りである。センサ部１０２は、ＳｐＯ2用の公知の構成が用いられる。送信装置１００Ａは、図１１に示されるようなヘッドバンド１６１に取り付けられた収納ケース１６２に収納されて用いられる。検出部１５１は額の中央付近に貼着されると共にヘッドバンド１６１により緊縛される。ヘッドバンド１６１の両端部から所定の長さにわたって面状ファスナー１６３が設けられており、収納ケース１６２に収納された送信装置１００Ａは例えば後頭部に固定される（図１１）。
【００３０】
中継装置２００は、図１２に示されるように生体の腹部や腰部にフィットするようにＲ状に沿った裏面を有し、図１３に示すように表面側中央部はフラットに構成されたボックス状の筐体２１０に、二つの送信部基板２１１と、二階層構造の送受無線部基板２１２と送受・制御基板２１３とが備えられている。
【００３１】
送受無線部基板２１２と送受・制御基板２１３の回路構成は図１４のようである。この中継装置２００においてはスペースダイバーシチ受信のために、第１の受信部２２０Ａと第２の受信部２２０Ｂとを備える。第１の受信部２２０Ａと第２の受信部２２０Ｂとは、同一の構成であるので、代表して第１の受信部２２０Ａを説明する。リード線により構成されるλ／４ダイポールアンテナである受信アンテナ２２１Ａと低ノイズアンプ２２２Ａとを備え、無線信号を取り込み増幅する構成を採用している。
【００３２】
低ノイズアンプ２２２Ａの出力は分配器２２３ＡによりＢＰＦ（バンドパスフィルタ）２２４Ａ、２２５Ａに分岐される。ＢＰＦ２２４Ａ、２２５Ａは、使用する２の無線周波数に対応するものであり、ＢＰＦ２２４Ａ、２２５Ａによりそれぞれ異なる所定周波数成分が通過させられる。
【００３３】
ＢＰＦ２２４Ａ、２２５Ａの出力は、ＦＳＫトランシーバ２２６Ａ、２２７Ａに与えられ、ダウンコンバート及びＦＳＫ復調されて、ＣＰＬＤ２２８へ送られる。ＣＰＬＤ２２８は、第１の受信部２２０Ａと第２の受信部２２０Ｂとから受信した受信信号の電界強度を比較して、電界強度の強い受信信号を採用する他、受信信号のプリアンブルパターンから受信クロックを再生する等の処理などを行う。
【００３４】
ＣＰＬＤ２２８には、第１のＣＰＵ２３１と第２のＣＰＵ２３２とが接続され、第１のＣＰＵ２３１が各部の動作制御を行い、第２のＣＰＵ２３２は、ＣＰＬＤ２２８と共働してＴＤＭＡ受信処理を行う。ここでは、例えば、１周波数について８タイムスロット二分割しており、１周波数について８個の送信装置１００から信号受信することができ、２周波数では１６個の送信装置１００から信号受信することができる。
【００３５】
各回路部は、電池２３５を有する電源部２３６から電源を得ている。ＣＰＬＤ２２８からは受信した信号と、プリアンブルパターンにセットする受信機用同期パターン及び装置の状態を示すステータスが二つの送信部基板２１１へ送られる。二つの送信部基板２１１に設けられている送信回路は、使用する送信周波数が異なるものの、同一の構成であり、図１５に示されているものである。
【００３６】
即ち、ＣＰＬＤ２２８から送られた信号はＦＳＫトランシーバ２４１へ到り、ＦＳＫトランシーバ２４１をＣＰＵ２４２が制御してＴＤＭＡ通信により８個の送信装置１００から受信した信号を送信するように構成されている。ＦＳＫトランシーバ２４１では、ＦＳＫ変調及びアップコンバートが行われ、リード線により構成されるλ／４ダイポールアンテナである送信アンテナ２４３から送信される。
【００３７】
中継装置２００の上面板には、図１２に示されるように電源スイッチ２５１、チェックＬＥＤ２５２、チェックスイッチ２５３、送信パワー切り換えスイッチ２５４、マークスイッチ２５５が備えられている。電源スイッチ２５１をオンとし、チェックスイッチ２５３を操作してチェックＬＥＤ２５２が緑色に点灯することで、動作可能状態を知ることができる。マークスイッチ２５５の操作により、動作状態で受信イベントを発生させて受信を行わせることができる。
【００３８】
中継装置２００における筐体２１０の両側には、図１３に示すベルト装着穴２０９が形成され、図１６〜図１８に示すように、ベルト２６１、２６２が装着されている。ベルト２６１、２６２の先端部には長さ調整部を有する受側止具２６３と差込側止具２６４が設けられる。ベルト２６１、２６２には、Ｌ字状のアンテナポーチ２６５が設けられている。アンテナポーチ２６５はＬ字の角部が入り口である袋であり、袋内部にスポンジなどの弾性材からなるスペーサ２６６が入れられており、中継装置２００の装着時に受信アンテナ２２１Ａ、２２１Ｂがスペーサ２６６を介して生体表面に向き合うようにされ、生体表面から離間させる機能を有している。スペーサ２６６の厚みは３ｃｍより厚いと好適な受信が可能となることが実験から確かめられた。
【００３９】
ベルト２６１、２６２には、受信アンテナ２２１Ａ、２２１Ｂと低ノイズアンプ２２２Ａ、２２２Ｂとを結ぶアンテナコードを固定するベルト掛け２６７が設けられている。中継装置２００における筐体２１０の両側からは二つの送信部基板２１１に接続される二つの送信アンテナ２４３が突き出しており、生体表面から離間する方向へ２次曲線のように湾曲され、先端が生体表面から真っ直ぐ延びるように構成されている。これにより、送信した無線信号が生体に吸収される度合いを低下させて、良好な送信を可能としている。中継装置２００における裏面側にはクッション２６８が貼着されて、中継装置２００を装着した場合にフィットし、運動などによっても大きく揺れることがないようにされている。中継装置２００は、図１３に示すように生体の腹部または腰部に装着して用いることも、また生体から外して図１６に示すようにベルト２６１、２６２を延ばした状態で用いることもできる。
【００４０】
図１に示すようにセンタ装置３００は、アンテナ３０１と無線・受信処理部３０２とを有し、中央制御部３０３と表示部３０４及び入力部３０５を備えるものである。無線・受信処理部３０２は中継装置２００の送信用の２周波数に対応して受信し、ＴＤＭＡ通信による信号を受信してＦＳＫ復調し、各タイムスロットに対応する生体信号を再生して中央制御部３０３へ与える。
【００４１】
中央制御部３０３は、生体信号のデータをデータ処理して、生体信号に応じて筋電図波形、心電図波形、加速度波形（１軸と３軸）、直流波形、角度波形、呼吸波形及びＳｐＯ2波形等を作成して、表示部３０４へ表示するプロセッサである。入力部３０５からは中央制御部３０３に対し与える、表示の切り換えなどのコマンドを入力することができる。アンテナ３０１と無線・受信処理部３０２とを除く部分はパーソナルコンピュータなどにより構成することもできる。
【００４２】
以上の通り、構成された生体情報収集システムにあっては、送信装置１００として筋電図用のものを、例えば１６個用意して、これらの内の８個に第１の周波数を使用することを設定し、残りの８個に第２の周波数を使用することを設定する。また、第１の周波数を使用する８個の送信装置１００に使用するタイムスロットが重ならないようにタイムスロットの割り当てを行い、第２の周波数を使用する８個の送信装置１００に使用するタイムスロットが重ならないようにタイムスロットの割り当てを行う。
【００４３】
各送信装置１００の電源をオンとして、既に説明した通りにして生体の所要部に貼着する。また、電源をオンとした中継装置２００を生体の腹部にセットし、測定を開始する。勿論、センタ装置３００についても電源オンとし、動作可能な状態とする。
【００４４】
各送信装置１００では、中継装置２００から送られる送信信号に含まれるプリアンブルパターンからクロックを再生して、８タイムスロットの先頭の同期信号のタイミング（位置）を検出する。同期信号ＳＹＮは図１９に示されるように再生される。各送信装置１００では、タイムスロットの割り当てが設定されているので、同期信号ＳＹＮのパルスから所定番目のタイムスロットにおいて、収集した生体信号をＦＳＫ変調して送信する。図１９のタイムスロット＃Ｔ１、＃Ｔ２、・・・、＃Ｔ８において対応する送信装置１００から生体信号が送られる。
【００４５】
中継装置２００は、到来する無線信号についてダイバーシチ受信を行うと共に、受信信号のプリアンブルパターンから受信クロックを再生して、各タイムスロットの生体信号を取り出し、再び８タイムスロットの１フレームに戻し、受信機用同期パターン及び装置の状態を示すステータスを付加して送信する。
【００４６】
センタ装置３００は、二つの周波数によりそれぞれ８タイムスロットに配置された生体信号を受け取り、受信機用同期パターンを用いてタイムスロットから取り出し、生体信号とし、更に生体信号のデータをデータ処理して、生体信号に応じて筋電図波形を作成して、表示部３０４へ表示する。
【００４７】
このように、本実施例によれば、送信装置１００から無線信号により中継装置２００へ生体信号を送信することで、送信装置１００と中継装置２００とを装着した状態で被検者が自由に運動などを行うことができ、動いている状態の生体情報を収集できる。この場合に、送信装置１００の２本のアンテナ１０７が、生体から離れた側であるＲＦ−ＣＰＵユニット基板１１３の上側で筐体１１０の縁に沿ってループ形状にされて配置されており、伝送距離を向上させ確実な生体信号の送信に寄与している。
【００４８】
また、中継装置２００においては、スペースダイバーシチ受信が行われ、受信アンテナ２２１Ａ、２２１Ｂがスペーサ２６６を介して生体表面に向き合うようにされ、生体表面から離間させて好適な受信が可能とされており、生体情報の確実な収集がなされるものである。更に、ＴＤＭＡ通信方式の採用により複数の送信装置１００から一時に生体信号を収集でき、各部位における生体信号或いは複数のパラメータによる生体信号を得て、生体の活動状態を分析可能である。
【図面の簡単な説明】
【００４９】
【図１】本発明に係る生体情報収集システムの構成を示すブロック図。
【図２】本発明に係る生体情報収集システムを構成する送信装置の機能ブロック図。
【図３】本発明に係る生体情報収集システムを構成する送信装置の外観を示す図であり、（ａ）は正面図、（ｂ）は背面図、（ｃ）は底面図。
【図４】本発明に係る生体情報収集システムを構成する送信装置の側面断面図。
【図５】本発明に係る生体情報収集システムを構成する送信装置の正面側の筐体パネルを剥がした状態の平面図。
【図６】本発明に係る生体情報収集システムを構成する送信装置に接続される心電図用の電極モジュールの平面図。
【図７】本発明に係る生体情報収集システムを構成する送信装置であって、裏面側に電極を備えないタイプの送信装置を示す側面断面図。
【図８】本発明に係る生体情報収集システムを構成する送信装置に接続される角度用のセンサの平面図。
【図９】本発明に係る生体情報収集システムを構成する送信装置に接続される呼吸波用のセンサの平面図。
【図１０】本発明に係る生体情報収集システムを構成するＳｐＯ2用送信装置及びこれに接続されるＳｐＯ2用のセンサの平面図。
【図１１】本発明に係る生体情報収集システムを構成するＳｐＯ2用送信装置及びこれに接続されるＳｐＯ2用のセンサの使用状態を示す斜視図。
【図１２】本発明に係る生体情報収集システムを構成する中継装置の平面図。
【図１３】本発明に係る生体情報収集システムを構成する中継装置の筐体の正面側パネルを剥がした状態の平面図。
【図１４】本発明に係る生体情報収集システムを構成する中継装置の要部機能ブロック図。
【図１５】本発明に係る生体情報収集システムを構成する中継装置の要部機能ブロック図。
【図１６】本発明に係る生体情報収集システムを構成する中継装置に装着手段を取り付けた状態の正面図。
【図１７】本発明に係る生体情報収集システムを構成する中継装置に装着手段を取り付けたものを生体に装着した状態の斜視図。
【図１８】本発明に係る生体情報収集システムを構成する中継装置に装着手段を取り付けたものを生体に装着した状態の斜視図。
【図１９】本発明に係る生体情報収集システムにより送信される生体信号の送信タイミングを示す図。
【符号の説明】
【００５０】
１００、１００Ａ  送信装置          １０１  電極
１０２  センサ部                    ３０５  入力部
１０３  アンプ                      １０６  トランシーバ
１０７  アンテナ                    １０８  電源部
１１０  筐体                        １１１  電池
１１２  アナログユニット基板        １１３  ユニット基板
１１４  基板接続コネクタ            １１５  外部接続コネクタ
１１６  接着剤                      １１７  ボタンスイッチ
２００  中継装置                    ２０９  ベルト装着穴
２１０  筐体                        ２１１  送信部基板
２１２  送受無線部基板              ２１３  送受・制御基板
２２０Ａ、２２０Ｂ  受信部          ２２１Ａ  受信アンテナ
２２２Ａ  低ノイズアンプ            ２２３Ａ  分配器
２２６Ａ  トランシーバ              ２３５  電池
２３６  電源部                      ２４１  トランシーバ
２４３  送信アンテナ                ２６１  ベルト
２６３  受側止具                    ２６４  差込側止具
２６５  アンテナポーチ              ２６６  スペーサ
２６８  クッション                  ３００  センタ装置
３０１  アンテナ                    ３０２  無線・受信処理部
３０３  中央制御部                  ３０４  表示部
【図１】
2009178381.tif 000003
【図２】
2009178381.tif 000004
【図３】
2009178381.tif 000005
【図４】
2009178381.tif 000006
【図５】
2009178381.tif 000007
【図６】
2009178381.tif 000008
【図７】
2009178381.tif 000009
【図８】
2009178381.tif 000010
【図９】
2009178381.tif 000011
【図１０】
2009178381.tif 000012
【図１１】
2009178381.tif 000013
【図１２】
2009178381.tif 000014
【図１３】
2009178381.tif 000015
【図１４】
2009178381.tif 000016
【図１５】
2009178381.tif 000017
【図１６】
2009178381.tif 000018
【図１７】
2009178381.tif 000019
【図１８】
2009178381.tif 000020
【図１９】
2009178381.tif 000021